(57)【要約】【課題】露出決定時の演算量増加を抑えつつ、向上した測光分解能を逆光検出に有効に利用することが可能な撮像装置および撮像方法を提供する。【解決手段】撮像素子１４から出力された画像データを複数領域に分割し、それぞれの輝度を測定する輝度算出部２０と、輝度算出部から出力された被写体輝度から複数の中領域を生成してグループ化し、中領域輝度より露出評価値を生成し、算出輝度に応じた適正露出で撮像を行う露出制御部３０とを有する。【選択図】図１
2007074163.tif 000002
【特許請求の範囲】
【請求項１】
撮像手段と、
前記撮像手段から出力された画像データを複数領域に分割し、分割したそれぞれの領域の輝度を測定する測光手段と、
前記測光手段から出力された被写体輝度から複数の中領域を生成するグループ化手段と、
前記中領域輝度より露出評価値を生成する評価値算出手段と、
前記測定輝度に応じた適正露出で撮像を行う制御手段と
を有する撮像装置。
【請求項２】
前記グループ化手段は、測光手段より出力された被写体輝度情報を注目点を中心に水平、垂直方向にスキャンして小測光領域の輝度と被写界全面の平均輝度の差を確認し、被写界の高輝度領域および低輝度領域を第１中領域としてグループ化する手段を有する
請求項１記載の撮像装置。
【請求項３】
前記グループ化手段は、上記水平、垂直方向の輝度値スキャンの際に、注目点を画面中央部、または測距点、または顔検出領域、または指定された任意の点、またはそれら複数を組み合わせた複数の注目点を設定可能である
請求項２記載の撮像装置。
【請求項４】
前記グループ化手段は、生成された第１中領域の周辺部輝度を検索し、あらかじめ定めた条件に沿った領域を第２中領域としてグループ化する手段を有する
請求項２記載の撮像装置。
【請求項５】
前記評価値算出手段は、生成された第１中領域および第２中領域の輝度差に応じて各中領域に重み付けを与える手段を有する
請求項４記載の撮像装置。
【請求項６】
前記評価値算出手段は、生成された第１中領域および第２中領域の位置に応じて各中領域に重み付けを与える手段を有する
請求項４記載の撮像装置。
【請求項７】
前記評価値算出手段は、重み付けに応じて測光手段で測定された被写体輝度に重み付けをした重み付け付き被写体輝度を算出する手段を有する
請求項６記載の撮像装置。
【請求項８】
撮像手段から出力された画像データを複数領域に分割する第１ステップと、
分割したそれぞれの領域の被写体輝度を測定する第２ステップと、
前記測定した被写体輝度から複数の中領域を生成する第３ステップと、
前記中領域の輝度より露出評価値を生成する第４ステップと、
前記測定輝度に応じた適正露出で撮像を行う第５ステップと
を有する撮像方法。
【請求項９】
第３ステップにおいて、前記第２のステップで測定した被写体輝度情報を注目点を中心に水平、垂直方向にスキャンして小測光領域の輝度と被写界全面の平均輝度の差を確認し、被写界の高輝度領域および低輝度領域を第１中領域としてグループ化する
請求項８記載の撮像方法。
【請求項１０】
前記第３ステップにおいて、上記水平、垂直方向の輝度値スキャンの際に、注目点を画面中央部、または測距点、または顔検出領域、またはそれら複数手段を組み合わせた複数の注目点を設定可能である
請求項９記載の撮像方法。
【請求項１１】
前記第３ステップにおいて、生成された第１中領域の周辺部輝度を検索し、あらかじめ定めた条件に沿った領域を第２中領域としてグループ化する
請求項９記載の撮像方法。
【請求項１２】
前記第４ステップにおいて、生成された第１中領域および第２中領域の輝度差に応じて各中領域に重み付けを与える
請求項１１記載の撮像方法。
【請求項１３】
前記第４ステップにおいて、生成された第１中領域および第２中領域の位置に応じて各中領域に重み付けを与える
請求項１１記載の撮像方法。
【請求項１４】
前記第４ステップにおいて、重み付けに応じて測光手段で測定された被写体輝度に重み付けをした重み付け付き被写体輝度を算出する
請求項１３記載の撮像方法。
【発明の詳細な説明】
【技術分野】
【０００１】
本発明は、デジタルカメラ等の撮像装置および撮像方法に関するものである。
【背景技術】
【０００２】
従来技術として、被写界を格子状の複数領域に分割して測光処理を行う、いわゆる多分割測光方式が知られている。
たとえば特許文献１（特公平７−２７１５１号公報）に開示された技術では、画面を１５の小領域に分割し、主要被写体が存在する領域、その周辺部をグループ化した中領域、それ以外の領域にそれぞれグループ化し、それぞれの中領域の輝度差より主要被写体が逆光状態か否かの判別を行っている。
【特許文献１】特公平７−２７１５１号公報
【特許文献２】特開平３−２４００３０号公報
【発明の開示】
【発明が解決しようとする課題】
【０００３】
しかし特許文献１に開示された方法では、測光領域より小さな被写体や、測光領域内に輝度が近い物体が存在するときには、逆光状態が正確に検知できないという不利益があった。
上記の欠点を補う手法として、たとえば特許文献２（特開平３−２４００３０号公報）に開示されているように、焦点検出用イメージセンサから被写体輝度情報を得ることで、より小さな被写体の逆光状態を検知する手法も知られている。
【０００４】
しかし特許文献２に開示された方法は、いわゆる位相差検出ＡＦ方式を用いたカメラでは利用可能であるが、焦点検出用イメージセンサを用いずにイメージャからの出力画像のコントラスト変化を検知して合焦点を検出する、いわゆるコントラスト検出ＡＦ方式のみを使用するカメラでは用いることができない。また、主要被写体の横に輝度が近い物体が並んだ場合、逆光状態の検知に失敗する場合があった。
【０００５】
上述の問題は測光素子の分割数を増やして被写界の測光分解能を向上することで改善可能である。特に、近年はデジタルカメラの測光素子出力を測光に用いることで、より分割数を増やして測光を行うことが可能となっている。
しかし、分割数を増やすと露出決定時の演算量も増加するため、測光分解能の向上は被写体の状態検出ではなく測光領域グループ化の形状自由度向上に用いるのが一般的である。
【０００６】
本発明の目的は、露出決定時の演算量増加を抑えつつ、向上した測光分解能を逆光検出に有効に利用することが可能な撮像装置および撮像方法を提供することにある。
【課題を解決するための手段】
【０００７】
本発明の第１の観点の撮像装置は、撮像手段と、前記撮像手段から出力された画像データを複数領域に分割し、分割したそれぞれの領域の輝度を測定する測光手段と、前記測光手段から出力された被写体輝度から複数の中領域を生成するグループ化手段と、前記中領域輝度より露出評価値を生成する評価値算出手段と、前記測定輝度に応じた適正露出で撮像を行う制御手段とを有する。
【０００８】
好適には、前記グループ化手段は、測光手段より出力された被写体輝度情報を注目点を中心に水平、垂直方向にスキャンして小測光領域の輝度と被写界全面の平均輝度の差を確認し、被写界の高輝度領域および低輝度領域を第１中領域としてグループ化する手段を有する。
【０００９】
好適には、前記グループ化手段は、上記水平、垂直方向の輝度値スキャンの際に、注目点を画面中央部、または測距点、または顔検出領域、または指定された任意の点、またはそれら複数を組み合わせた複数の注目点を設定可能である。
【００１０】
好適には、前記グループ化手段は、生成された第１中領域の周辺部輝度を検索し、あらかじめ定めた条件に沿った領域を第２中領域としてグループ化する手段を有する。
【００１１】
好適には、前記評価値算出手段は、生成された第１中領域および第２中領域の輝度差に応じて各中領域に重み付けを与える手段を有する。
【００１２】
好適には、前記評価値算出手段は、生成された第１中領域および第２中領域の位置に応じて各中領域に重み付けを与える手段を有する。
【００１３】
好適には、前記評価値算出手段は、重み付けに応じて測光手段で測定された被写体輝度に重み付けをした重み付け付き被写体輝度を算出する手段を有する。
【００１４】
本発明の第２の観点の撮像方法は、撮像手段から出力された画像データを複数領域に分割する第１ステップと、分割したそれぞれの領域の被写体輝度を測定する第２ステップと、前記測定した被写体輝度から複数の中領域を生成する第３ステップと、前記中領域の輝度より露出評価値を生成する第４ステップと、前記測定輝度に応じた適正露出で撮像を行う第５ステップとを有する。
【００１５】
本発明によれば、撮像手段から出力された画像データが測光手段において、複数領域に分割される。そして、測光手段において、分割したそれぞれの領域の被写体輝度が測定され、グループ化手段および制御手段に供給される。
グループ化手段において、測定した被写体輝度から複数の中領域が生成され、その情報が評価値算出手段に供給される。
評価値算出手段において、中領域の輝度より露出評価値が生成され、制御手段において、測定輝度に応じた適正露出で撮像が行われるように制御される。
【発明の効果】
【００１６】
本発明によれば、主要被写体が逆光状態にある場合でも、被写体が潰れることなく適切な露出で撮影が可能となる。
また、被写界内に光源などの高輝度被写体が含まれる状況でも、該当領域を検出して重み付け等を可変することで、露出不足の失敗写真を撮影する可能性を低減することが可能となる。
また、フラッシュ撮影時に主要被写体近傍に高反射率の物体が存在しても、同物体からの反射光の影響を少なくして主要被写体に適正な露出で撮影を行うことが可能となる。
【発明を実施するための最良の形態】
【００１７】
以下、本発明の実施形態に係る撮影装置について図面に関連付けて説明する。
【００１８】
図１は、本発明の実施形態に係る撮影装置の全体構成図である。
【００１９】
本撮像装置１は、図１に示すように、たとえば、カメラモジュール１０、輝度算出部２０、露出制御部３０、操作部４０、フラッシュ発光部５０、制御部６０、画像処理部７０、画像保存部８０、およびメモリ９０を有する。
なお、本撮影装置１において、露出制御部３０、制御部６０および画像処理部７０は、電子回路で実現してもよいし、プロセッサがプログラムを実行することで実現してもよい。
【００２０】
［カメラモジュール１０］
カメラモジュール１０は、たとえば、レンズ１１、アイリス１２、シャッター１３、撮像素子１４、サンプリング回路１５、およびアナログ／デジタル（Ａ／Ｄ）変換回路１６を有する。
レンズ１１は、撮像対象からの光を入射してアイリス１２に出射する。
アイリス１２は、レンズ１１から入射した光を絞ってシャッター１３に出射する。
シャッター１３は、露出制御部３０からの制御に基づいて、所定の時間（シャッター時間）だけ開口する。
シャッター１３は、開口時に、アイリス１２から入射した光を撮像素子１４に結像させる。
【００２１】
撮像素子１４は、CCD(Charge Coupled Device)やCMOS（Complementary Metal Oxide Semiconductor）センサ等を用いて構成され、シャッター１３を介して入射した被写体の光を結像（受光）する。
撮像素子１４は、撮像面上の各受光素子に到達した受光量を光電変換により電気信号に変換し、その電気信号に変換された画像信号をサンプリング回路１５に出力する。
撮像素子１４は、たとえば、単板センサであり、サンプリング回路１５に出力する電気信号は、１画素につきＲ信号、Ｇ信号、Ｂ信号のうちのいずれか１個の色信号（データ）である。
【００２２】
サンプリング回路１５は、撮像素子１４から供給される画像信号（電気信号）のノイズ成分を、たとえば、相関２重サンプリングにより除去し、Ａ／Ｄ変換回路１６に供給する。
Ａ／Ｄ変換回路１６は、サンプリング回路１５から入力した画像信号をＡ／D変換、すなわち、サンプリングして量子化する。その後、Ａ／Ｄ変換回路１６は画像信号を輝度算出部２０および画像処理部７０に出力する。
【００２３】
［輝度算出部２０］
輝度算出部２０は、カメラモジュール１０から撮像によって得られた画像データを複数の小領域に分割し、小領域ごとに輝度積算処理を行う。
この積算処理は、小領域内のＲＧＢ信号データを輝度値に変換し、その輝度値を各領域毎に積算することで行われる。算出された各領域の輝度積算値は、露出制御部３０に出力される。
【００２４】
［露出制御部３０］
露出制御部３０は、制御部６０より指定された露出制御モードおよび測光モードに基づいて、輝度算出部２０から入力した各小領域の輝度積算値より適正露出値を算出し、その適正露出値で画像の撮像を行うように、アイリス１２、シャッター１３、撮像素子１４、サンプリング回路１５およびＡ／Ｄ変換回路１６を制御する。適正露出値の算出方法は後述する。
また、露出制御部３０は、上記算出した適正露出値と、制御部６０より指定された露出制御モードと、ユーザーによる操作部４０に応じて設定された設定情報を基に、フラッシュ発光を行うか否かを判断する。
フラッシュ発光を行う場合は、既に取得した露出情報から不足光量を算出し、フラッシュ発光光量を決定し、それをフラッシュ発光部５０に指定する。また、仮撮像において予備フラッシュ発光を行い、その撮像結果を基に取得した露出情報を基に、フラッシュ発光光量を決定し、それをフラッシュ発光部５０に指定してもよい。上記仮撮像は、たとえば、ユーザーが操作部４０のシャッターボタンを半押しした時や、操作部４０のシャッターボタンを全押ししてから本撮影動作に入る直前などに行われる。
【００２５】
本実施形態の露出制御部３０は、後で詳述するように、輝度算出部２０から出力された被写体輝度から複数の中領域を生成するグループ化機能と、中領域輝度より露出評価値を生成する評価値算出機能と、算出輝度に応じた適正露出で撮像を行う制御機能と、を含む。
グループ化機能は、輝度算出部２０より出力された被写体輝度情報を注目点を中心に水平、垂直方向にスキャンして小測光領域の輝度と被写界全面の平均輝度の差を確認し、被写界の高輝度領域および低輝度領域を第１中領域としてグループ化する機能を含んでいる。
グループ化機能は、水平、垂直方向の輝度値スキャンの際に、注目点を画面中央部、または測距点、または顔検出領域、またはユーザーによって指定された任意の点、またはそれら複数を組み合わせた複数の注目点を設定可能である。
グループ化機能は、生成された第１中領域の周辺部輝度を検索し、あらかじめ定めた条件に沿った領域を第２中領域としてグループ化する機能を含んでいる。
【００２６】
また、露出制御部３０の評価値算出機能は、生成された第１中領域および第２中領域の輝度差に応じて各中領域に重み付けを与える機能を含んでいる。さらに、評価値算出手段は、生成された第１中領域および第２中領域の位置および第１中領域の面積に応じて各中領域に重み付けを与える機能を含んでいる。
さらにまた、評価値算出機能は、重み付けに応じて測光手段で測定された被写体輝度に重み付けをした重み付け付き被写体輝度を算出する機能を含んでいる。
【００２７】
［操作部４０］
操作部４０は、たとえば、シャッターボタン、露出制御モードおよび測光モードを設定する設定ボタン、フラッシュ発光の有無などを設定する設定ボタンなどにより構成される。
【００２８】
［フラッシュ発光部５０］
フラッシュ発光部５０は、露出制御部３０からフラッシュ発光信号を入力すると、フラッシュ発光する。
フラッシュ発光部５０は、カメラモジュール１０の撮像方向に向けてフラッシュ発光するように設置されている。
【００２９】
［制御部６０］
制御部６０は、ユーザーによる操作部４０に応じて、たとえば露出制御部３０に露出制御モードおよび測光モードを設定したり、ユーザーによる操作部４０のシャッターボタンの操作に応じて、露出制御部３０に測光処理開始の指示や、撮像動作開始の指示を行う。
【００３０】
［画像処理部７０］
画像処理部７０は、画像メモリ２０から一連の撮像によって得られた画像データを読み出し、たとえばホワイトバランスの補正や画像圧縮などの処理を行い、これを画像保存部８０に出力する。
画像保存部８０は、画像処理部７０から入力した画像データＩＭを、メモリ９０に書き込む。
メモリ９０は、フラッシュメモリやハードディスクなどの記録媒体である。
【００３１】
以下、図１に示す撮影装置の動作例を、露出制御部３０の処理を中心に、図２〜図１７に関連付けて説明する。
図２は、図１に示す撮影装置の動作例を説明するためのフローチャートである。
【００３２】
ステップＳ１０：
輝度算出部２０は、操作部４０により露出制御部３０に設定された露出制御モードまたは測光モードに基づき、カメラモジュール１０により撮像された画像を、たとえば図３に示されるように、所定の矩形をなす測光枠領域１００を複数の小領域１０１に分割し、それぞれの小領域１０１の輝度積分値を算出する。図３において、符号１０２は測距点を示している。
本実施形態では説明の便宜を考慮し、１６×１６の２５６の小領域に分割して測光を行う例を示すが、この分割数は一例であり、２５６領域に限定されるものではない。
たとえば図４に示されるような写真を撮影した場合、被写界は図５に示されるように小領域１０１に分割して測光される。
測光によって得られた各小領域１０１の輝度積分値は、露出制御部３０に出力される。
【００３３】
ステップＳ２０：
露出制御部３０は、図６に示すように、被写界の注目点１０３の水平・垂直方向にある小領域の輝度積分値をスキャンし（ＶＳＣＮ，ＨＳＣＮ）、各小領域の輝度と被写界全面の平均輝度の比較を行う。
注目点１０３としては、たとえば画面中央部を注目点としてもよいし、焦点検出部（不図示）により合焦点として選択された測距点１０２を使用してもよい。また、文献等に例示されるような、顔検出等により注目点１０３を決定してもよいし、操作部４０により指定された任意の点を使用してもよい。本実施形態では、中央部に配置される測距点１０２を注目点１０３として用いた例を示す。
【００３４】
ステップＳ３０：
露出制御部３０は、ステップＳ２０により得られた比較結果のうち、全面平均輝度との差が一定値以上（たとえば２ＥＶ以上）になる領域があるかを判断する。輝度差が一定値以上になる領域があると判断した場合はステップＳ５０に、ないと判断した場合はステップＳ４０に進む。
【００３５】
ステップＳ４０：
露出制御部３０は、被写体は逆光あるいは輝度差の大きい状態にはないと判断し、測光モードを既知の中央部重点測光もしくは全面平均測光に変更し、露出決定を行う。
【００３６】
ステップＳ５０：
露出制御部３０は、図７に示すように、ステップＳ３０の測光領域スキャンで検出した輝度差が大きい領域を水平、垂直方向それぞれでグループ化する。
【００３７】
ステップＳ６０：
露出制御部３０は、ステップＳ５０で生成されたグループ化領域が全て水平、垂直方向のスキャン領域の交点上に存在するかを判断する。全てのグループ化領域が交点上に存在する場合はステップＳ１００に、そうでない場合はステップＳ７０に進む。
【００３８】
ステップＳ７０：
露出制御部３０は、ステップＳ２０で実施された測光領域スキャンが規定回数を超えているかどうかを判別する。規定数を超えるスキャンが既に実施されている場合はステップＳ１００に、そうでない場合はステップＳ８０に進む。
【００３９】
ステップＳ８０：
露出制御部３０は、図８に示すように、ステップＳ６０で測光領域の交点上に存在しないと判別されたグループ化領域の鉛直方向にある測光領域をスキャンし、図９に示すように全面平均輝度との差が一定値以上（たとえば輝度差が２ＥＶ以上）の領域をグループ化する。
【００４０】
ステップＳ９０：
露出制御部３０は、ステップＳ８０で実施された測光領域スキャンで、ステップＳ８０でグループ化された領域以外に全面平均輝度との差が一定値以上（たとえば２ＥＶ以上）の領域が存在するかを判断する。
輝度差が一定値以上になる領域があると判断した場合はステップＳ５０に進み、図１０に示すように該当領域をグループ化して、以下同様の処理を繰り返す。新たな輝度差が一定値以上の領域がないと判断した場合は、ステップＳ１００に進む。
なお、実施形態では太陽がある領域も輝度差が一定値以上の領域として検出されるため、最終的にはステップＳ１００には図１１に示されるような測光結果が出力される。
【００４１】
ステップＳ１００：
露出制御部３０は、ステップＳ５０〜ステップＳ９０の実行結果で得られたグループ化領域のうち、互いに交差している領域同士を合成して図１２に示すように基本測光領域１０４を作成する。
【００４２】
ステップＳ１１０：
露出制御部３０は、ステップＳ１００で作成された基本測光領域の周辺にある測光領域輝度をチェックし、輝度が近い領域を基本測光領域１０４に追加して第１中領域１０５を作成する。
追加する測光領域の選定は、たとえば図１３に示すように基本測光領域との輝度差が一定値以下（たとえば１ＥＶ以下）の領域としてもよいし、図１４に示すように処理の簡易化のために基本測光領域１０４を包括する矩形領域１０６としてもよい。
【００４３】
ステップＳ１２０：
露出制御部３０は、ステップＳ１１０で作成された各第１中領域の平均輝度値が全面平均輝度値より高輝度か否かを判断する。高輝度であると判断された領域は、当該第１中領域は高輝度領域であると判断し、ステップＳ１３０の処理を施す。低輝度であると判断された領域は、当該第１中領域は低輝度領域であると判断し、ステップＳ１４０以降の処理を施す。
【００４４】
ステップＳ１３０：
露出制御部３０は、ステップＳ１２０において高輝度と判定された第１中領域に対して高輝度領域処理を行う。ここで言う高輝度領域処理とは、当該領域輝度が露出値に及ぼす影響を軽減する処理を意味し、たとえば太陽などの光源によって露出値がアンダー方向に振られるのを防ぐための処理である。
処理としては、たとえば当該中領域の平均輝度値をあらかじめ決められた一定値に置き換えてもよいし、当該中領域の重み付け値をあらかじめ決められた一定値に置き換えてもよい。また、当該中領域の被写界内での注目点からの距離に応じた重み付け値を与えてもよいし、当該中領域を露出決定における測光対象から除外する処理を行ってもよい。
上記処理が終了したら、ステップＳ１９０に進む。
【００４５】
ステップＳ１４０：
露出制御部３０は、ステップＳ１２０において低輝度と判定された各第１中領域の周辺測光領域を図１５に示すようにグループ化して、第２中領域１０７を作成する。作成方法は、たとえば第１中領域１０５より一定値以内（たとえば２ＥＶ以内）の領域を対象としてもよいし、第１中領域１０５の一定の周辺部（たとえば２列）の測光領域を対象としてもよい。
【００４６】
ステップＳ１５０：
露出制御部３０は、ステップＳ１１０で作成された各第１中領域と、ステップＳ１４０においてその周辺部に作成された各第２中領域との平均輝度値の差を算出する。
【００４７】
ステップＳ１６０：
露出制御部３０は、ステップＳ１５０で算出された各第１中領域と各第２中領域の平均輝度差より、たとえば図１６に示されるように該当領域の第１重み付け値を決定する。決定は、たとえば第１中領域１０５と第２中領域１０７の平均輝度差が大きな場合は、該当中領域の被写体は強い逆光状態にあると判断し、第１中領域１０５の重み付けを大きくする。また、第１中領域１０５の被写界において占める面積や、第１中領域１０５と第２中領域１０７の面積比を重み付けの際に利用してもよい。
【００４８】
ステップＳ１７０：
露出制御部３０は、ステップＳ１５０で算出された各第１中領域１０５と各第２中領域１０７の位置により、たとえば図１７に示されるように第２重み付け値を決定する。
決定は、たとえば該当中領域の被写界内での注目点からの距離を重み付けに利用（たとえば注目点に近い領域は重み付けを大きく、遠い場合は重み付けを小さく）してもよいし、注目点および該当中領域の主要被写体までの距離が判明している場合は、注目点の主要被写体までの距離と該当中領域被写体までの距離との差を重み付けに利用（たとえば注目点の被写体とほぼ同距離にある場合は重み付けを大きく、距離が離れている場合は重み付けを小さく）してもよい。また複数の中領域が重なる領域では、それぞれの中領域の第２重み付け値の平均値を該当領域の第２重み付け値としてもよい。
【００４９】
ステップＳ１８０：
露出制御部３０は、ステップＳ１６０およびステップＳ１７０で決定された第１および第２重み付け値と、各小領域輝度値より重み付け付き小領域輝度値を算出する。
【００５０】
ステップＳ１９０：
露出制御部３０は、ステップＳ１８０にて算出された全ての小領域の重み付き輝度値の平均値を算出し、最終評価値を算出する。
上記算出された最終評価値を用い、露出制御部３０はアイリス１２、シャッター１３、Ａ／Ｄ変換回路１６を制御して撮像を行い、撮像画像を画像処理部７０に出力する。画像処理部７０は、たとえばホワイトバランス、γカーブ補正等の処理を行い、画像データを生成して、これを画像保存部８０に出力する。
画像保存部８０は、画像合成部６０から入力した画像データＩＭを、メモリ９０に書き込む。
【００５１】
以上のように、本撮影装置１によれば、図５に示されるように被写界を分割測光し、撮像を行う。そのときに水平、垂直方向の輝度変化を確認して被写体の状態を確認するため、たとえば主要被写体が逆光状態にある場合でも適切な露出で撮影が可能となる。また、被写界内に光源などの高輝度被写体が含まれる状況でも、該当領域を検出して重み付け等を可変することで、露出不足の失敗写真を撮影する可能性を低減することが可能となる。
【００５２】
なお、本実施形態では逆光状態の被写体撮影を例として説明を行ったが、同じ方法がフラッシュ撮影時にも有効である。フラッシュ撮影では、撮影前にプリ発光を行って適正発光量を決定する手法が一般的であるが、プリ発光中の測光時に上記測光方法を用いることで、たとえば主要被写体近傍に金属などの高い反射率を持つ物体が存在した場合でも、同物体からの反射光の影響を少なくして主要被写体に適正な露出値で撮影を行うことが可能となる。
【図面の簡単な説明】
【００５３】
【図１】本発明の実施形態に係る撮影装置の全体構成図である。
【図２】図１に示す撮影装置の動作例を説明するためのフローチャートである。
【図３】図１に示す撮影装置の動作例を説明するための図であって、撮像画像の分割例を示すである。
【図４】図１に示す撮影装置の動作例を説明するための図であって、逆光下における風景を背景とした人物写真の一例を示す図である。
【図５】図１に示す撮影装置の動作例を説明するための図であって、図４に示す被写体の分割測光を行った一例を示す図である。
【図６】図１に示す撮影装置の動作例を説明するための図であって、測光領域のスキャン動作を示す図である。
【図７】図１に示す撮影装置の動作例を説明するための図であって、輝度差が大きい領域をグループ化する例を示す図である。
【図８】図１に示す撮影装置の動作例を説明するためのであって、グループ化領域の鉛直方向をスキャンする例を示す図である。
【図９】図１に示す撮影装置の動作例を説明するための図であって、鉛直方向で輝度差が一定値以下の領域をグループ化する例を示す図である。
【図１０】図１に示す撮影装置の動作例を説明するためのであって、新たに検出された輝度差が一定値以上の領域をグループ化する例を示す図である。
【図１１】図１に示す撮影装置の動作例を説明するための図であって、図２のステップＳ５０〜Ｓ９０の処理を繰り返し実行した後の測光結果を示す図である。
【図１２】図１に示す撮影装置の動作例を説明するための図であって、基本測光領域を示す図である。
【図１３】図１に示す撮影装置の動作例を説明するための図であって、周辺輝度スキャンにより作成された第１中領域の例を示す図である。
【図１４】図１に示す撮影装置の動作例を説明するための図であって、矩形生成処理により作成された第１中領域の一例を示す図である。
【図１５】図１に示す撮影装置の動作例を説明するための図であって、第１中領域周辺部に第２中領域を作成する例を示す図である。
【図１６】図１に示す撮影装置の動作例を説明するための図であって、各中領域の第１重み付け値を決定する例を示す図である。
【図１７】図１に示す撮影装置の動作例を説明するための図であって、各中領域の第２重み付け値を決定する例を示す図である。
【符号の説明】
【００５４】
１・・・撮像装置、１０・・・カメラモジュール、１１・・・レンズ、１２・・・アイリス、１３・・・シャッター、１４・・・撮像素子、１５・・・サンプリング回路、１６・・・アナログ／デジタル（Ａ／Ｄ）変換回路、２０・・・輝度算出部、３０・・・露出制御部、４０・・・操作部、５０・・・フラッシュ発光部、６０・・・制御部、７０・・・画像処理部、８０・・・画像保存部、９０・・・メモリ、１００・・・測光枠領域、１０１・・・分割した小領域、１０２・・・測距点、１０３・・・注目点、１０５・・・第１中領域、１０７・・・第中２領域。
【図１】
2007074163.tif 000003
【図２】
2007074163.tif 000004
【図３】
2007074163.tif 000005
【図４】
2007074163.tif 000006
【図５】
2007074163.tif 000007
【図６】
2007074163.tif 000008
【図７】
2007074163.tif 000009
【図８】
2007074163.tif 000010
【図９】
2007074163.tif 000011
【図１０】
2007074163.tif 000012
【図１１】
2007074163.tif 000013
【図１２】
2007074163.tif 000014
【図１３】
2007074163.tif 000015
【図１４】
2007074163.tif 000016
【図１５】
2007074163.tif 000017
【図１６】
2007074163.tif 000018
【図１７】
2007074163.tif 000019